(57)【要約】      （修正有）【課題】紙皿が屋外において使用時に風にとばされないようにする錘固定機構を提供する。【解決手段】紙皿１の下側中央部に設けられた円筒状の固定部材と、円盤状に形成され固定部材の内部に挿入固定される錘２とを備える。固定部材と錘２とは互いに螺合する螺子山が形成されている。【選択図】図１
0003187534.tif 000002
【実用新案登録請求の範囲】
【請求項１】
紙、樹脂、紙と樹脂、またはアルミ製の皿の下側中央部に円筒状の固定部材が設けられており、前記筒状の固定部材と、そこに挿入固定する錘よりなることを特徴とする錘固定機構
【請求項２】
円筒状の固定部材と挿入固定する錘を螺子により固定することを特徴とする請求項１に記載の固定機構
【請求項３】
円筒状の固定部材と挿入固定する錘をロック機構により固定することを特徴とする請求項１に記載の固定機構
【請求項４】
円筒状の固定部材と挿入固定する錘を接着手段により固定することを特徴とする請求項１に記載の固定機構
【考案の詳細な説明】
【背景技術】
【０００１】
紙皿が屋外において使用時に風にとばされないようにする技術は、たとえば、特開２００６−１５００２８号公報や、実用新案登録第３１００９６１号公報等、いくつか公開されている。
【先行技術文献】
【特許文献】
【０００２】
【特許文献１】特開２００６−１５００２８
【特許文献２】実用新案登録第３１００９６１
【考案の概要】
【考案が解決しようとする課題】
【０００３】
しかし、特開２００６−１５００２８号公報に開示されている発明は、汎用性に欠ける。また、実用新案登録第３１００９６１号に開示されている考案には、紙皿に取り付けるクリップを取り付ける手間が掛かる事と、クリップが使用上、邪魔になるという欠点がある。
【課題を解決するための手段】
【０００４】
本考案は、先に示したこれら欠点を改善するものである。すなわち、汎用性がたかく、使用上の不便さがない、新規の紙皿の固定機構を提案するものある。なお、本考案では、プラスティク製(樹脂製)、および、紙と樹脂との皿、アルミ製の皿も紙皿とまとめて記述している。
【０００５】
第１の考案は、紙、樹脂、紙と樹脂の皿、またはアルミ製の皿の下側中央部に円筒状の固定部材が設けられており、前記筒状の固定部材と、そこに挿入固定する錘よりなる錘固定機構である。
第２の考案は、円筒状の固定部材と挿入固定する錘を螺子により固定する固定機構である。
第３の考案は、第１の考案において、円筒状の固定部材と挿入固定する錘をロック機構により固定する固定機構である。
第４の考案は、第１の考案において、円筒状の固定部材と挿入固定する錘を接着手段により固定する固定機構である。
【考案の効果】
【０００６】
紙皿（１）の下面に例えば金属製の円盤状の錘（２）を装着するだけで風に飛ばされにくくなる効果が得られる。紙皿の底に金属製の錘を取付ける事によって紙皿に一定の重さを与える。金属は、当然、比重の高いものが適している。具体的には、鉄、銅、それらに合金が適している。こうする事により野外で紙皿を使用しても従来のように紙皿が風にあおられず紙皿の中にある食べ物が廻りに飛び散ることも無くなり、廻りの衛生環境が改善される。さらに取外しが可能なことにより何度でも使用可能なので資源の節約にもなる。
【図面の簡単な説明】
【０００７】
【図１】本考案の第１の実施例を示す図である。
【図２】本考案の第１の実施例を示す他の図である。
【図３】本考案の第２の実施例を示す図である。
【図４】本考案の第２の実施例を示す他の図である。
【図５】本考案の第３の実施例を示す他の図である。
【図６】本考案の第４の実施例を示す他の図である。
【図７】本考案の第５の実施例を示す他の図である。
【考案を実施するための形態】
【実施例】
【０００８】
図１に本発明の第１の実施例を示す。紙皿１の下面中央部に錘２を取付ける部分が設けられている。そこへ雌ねじ１１が切られており、金属製の円盤状の錘２を捻じ込みにて取付ける事によって紙皿がどっしりとした重みのある皿となる。錘の外周部には、雄ねじ２１がつけられている。使用後は逆方向に緩めて取外し金属製の円盤状の錘２を再利用する事ができる様になっている。
図２は、図１の実施例１を下側より見た図である。
【０００９】
図３に本発明の第２の実施例を示す。紙皿１の下面中央部に錘２を取付ける部分が設けられている。そこへ雄ねじ１２が切られており、金属製の円盤状の錘２を捻じ込みにて取付ける事によって紙皿がどっしりとした重みのある皿となる。錘の外周部には、雌ねじ２２がつけられている。使用後は逆方向に緩めて取外し金属製の円盤状の錘２を再利用する事ができる様になっている。
なお、ねじは両方ともに雄螺子であっても良い。
錘２の外周の螺子は直接、金属に加工してもよく、また、円盤状の金属に樹脂製の螺子を接着させて製造しても良い。
紙皿１は使用後には廃棄物となり、焼却、または再加工をしてリサイクルを行う。そのためには、紙皿１の重錘固定部は、紙皿１と同質、または類似の材質であることが好ましい。錘２は取り外して再度、使用する。
図４は、図３の実施例２を下側より見た図である。
【００１０】
図５に本発明の第３の実施例を示す。紙皿１の下面にロック機構L字型の切れ目（最端部は広げている。）１３を備えている。また、錘２には、ロック機構１３に錘２を挿入し、固定するための突起２３を備えている。錘２の突起２３を、ロック機構L字型の切れ目１３に挿入し、回転させて固定する。使用後は逆方向に緩めて取外し金属製の円盤状の錘２を再利用する事ができる様になっている。
【００１１】
図６は、本発明の第４の実施例を示す。紙皿１の下面中央部につける錘２を示している。この場合には、錘２の円盤状の１面に両面テープ３を貼り付けている。紙皿１への固定は、両面テープ３の錘２の逆側のシールを外して紙皿１に固定する。
【００１２】
図７は、本発明の第５の実施例を示す。紙皿１の下面中央部につける錘２を示している。この場合には、錘２の円盤状の１面にゲルシート４を貼り付けている。紙皿１への固定は、ゲルシート４を介して行う。
【産業上の利用可能性】
【００１３】
この考案は屋外で食事をする時の紙皿と紙皿に取り付ける金属性の錘に関するものである。
皿の材質は紙だけではなくプラスティックやアルミ等の使い捨て皿全般を指しており、紙加工業、プラスティック加工業、金属加工業等に利用可能である。
【符号の説明】
【００１４】
１   紙皿
１１  紙皿に錘を取付ける雌ねじ
１２  紙皿に錘を取付ける雄ねじ
１３  ロック機構L字型の切れ目（
２  錘
２１  錘の外周部につける雄ねじ
２２  錘の外周部につける雌ねじ
２３  錘の突起
３  両面テープ
４  ゲルシート
【図１】
0003187534.tif 000003
【図２】
0003187534.tif 000004
【図３】
0003187534.tif 000005
【図４】
0003187534.tif 000006
【図５】
0003187534.tif 000007
【図６】
0003187534.tif 000008
【図７】
0003187534.tif 000009
【手続補正書】
【提出日】平成25年10月8日(2013.10.8)
【手続補正１】
【補正対象書類名】実用新案登録請求の範囲
【補正対象項目名】請求項１
【補正方法】変更
【補正の内容】
【請求項１】
皿の下側中央部に設けられた円筒状の固定部材と、円盤状に形成され前記固定部材の内部に挿入固定される錘とを備える錘固定機構
【手続補正２】
【補正対象書類名】実用新案登録請求の範囲
【補正対象項目名】請求項２
【補正方法】変更
【補正の内容】
【請求項２】
前記固定部材と前記錘とは互いに螺合する螺子山が形成されている請求項１に記載の錘固定機構
【手続補正３】
【補正対象書類名】実用新案登録請求の範囲
【補正対象項目名】請求項３
【補正方法】変更
【補正の内容】
【請求項３】
前記固定部材には、Ｌ字型の切れ目が形成され、前記錘には、突起が形成され、前記固定部材の前記切れ目に、前記錘の前記突起が挿入され、回転されて、前記固定部材に前記錘が固定される請求項１に記載の錘固定機構
【手続補正４】
【補正対象書類名】実用新案登録請求の範囲
【補正対象項目名】請求項４
【補正方法】変更
【補正の内容】
【請求項４】
前記固定部材と前記錘とは、両面テープ又はゲルシートで固定される請求項１に記載の錘固定機構